(57)【要約】【目的】古い家屋等の建築廃木材を破壊せん断してなる廃木材チップ片を，野菜や果実栽培用の「培地」そのものに変化させたい。特に水耕栽培に多用されているロックウールに代り得る培地としたい。【構成】十分乾燥した廃木材からなる廃木材チップ片の集合体を，水洗し，消毒後，アルカリ性液にてｐＨ５〜７に中和してから乾燥させて廃木材チップ培地とし，また，その製造方法とした。なお，中和化工程を省略したものは使用中に常時アルカリ性溶液を供給する。上記にて水耕栽培用としては廃木材チップ片を長さ１０〜３０ｍｍ位，太さ１〜１０ｍｍ位とした方が好ましい。また，廃木材チップ培地に粉砕木炭や籾殻等の発酵菌醸成材層を付加したり混在するもよい。【選択図】  なし【特許請求の範囲】
【請求項１】
十分乾燥している廃木材を原材とした廃木材チップ片の集合体を，水洗及び消毒をした後に，アルカリ性液に浸してｐＨ５〜７に中和化してから乾燥させて成ることを特徴とした廃木材チップ培地。
【請求項２】
中和化工程を省略した請求項１記載の廃木材チップ培地。
【請求項３】
廃木材チップ片が，長さ１０〜３０ｍｍ程度，太さ１〜１０ｍｍ程度である請求項１又は請求項２に記載の廃木材チップ培地。
【請求項４】
木炭と発酵菌醸成材を付加した請求項１乃至請求項３のいずれかに記載の廃木材チップ培地。
【請求項５】
水耕栽培用とした請求項１乃至請求項４のいずれかに記載の廃木材チップ培地。
【請求項６】
十分乾燥している廃木材を原材とした廃木材チップ片の集合体を，水洗及び消毒をした後に，アルカリ性液に浸してｐＨ５〜７に中和化してから乾燥させて得ることを特徴とした廃木材チップ培地の製造方法。
【請求項７】
中和化工程を省略した請求項６記載の廃木材チップ培地の製造方法。
【請求項８】
廃木材チップ片が，長さ１０〜３０ｍｍ程度，太さ１〜１０ｍｍ程度のものである請求項６又は請求項７に記載の廃木材チップ培地の製造方法。
【発明の詳細な説明】
【０００１】
【発明の属する技術分野】
この発明は，野菜・果実などの，栽培用の培土又は培地と呼ばれている土壌として，産業廃棄物である木造建築家屋の解体材を有効に起用したものである。
特に，最近の栽培法として盛んに行われている水耕栽培又は養液栽培と称する栽培法に用いて大変有効な発明である。
【０００２】
【従来の技術】
従来の栽培用培地を，水耕栽培又は養溶液栽培の例にて見ると，その取扱上の利便性からロックウール・ココ椰子の繊維・樹皮・軽石等が用いられている。
ところが，最も多用されているロックウールは，使用中に繊維が崩れて粉化することが多く、皮膚に刺さったり肺に吸い込んだり等の傷害原因となりやすい。
その防止のため，マスク・眼鏡・手袋等を着用しても，ロックウールの細かな粉塵が着衣や温室内の各所に付着するようになり除去は容易ではない。
それ故，ロックウールを農業に使用することは禁止すべきである。
【０００３】
なお，ロックウールは高価のために，４〜５年間も使用を続けるから徐々に固く圧縮されてしまい培地中への空気の補給に支障を来すから，度々掘り起こしの作業が必要となるというのが実状である。
ココ椰子の繊維・樹皮・軽石等も，大きさを揃えるなどを考えると結構高価なものとなっている。
【０００４】
そこで，安価なものとして，木材を切断或いは裂断して粉砕し，小片又はフレーク状にチップ化させたものを用いたものが従来例として幾つか見受けられる。
これらの内，木材を用いたこの出願の発明に関して比較的近いと思われる先行技術文献情報を示すと次のようなものがある。
【０００５】
例えば，間伐材等樹木破砕材の利用方法として，破砕して得たチップ材を撥水性を減じるために界面活性剤を散布して植物の生育基盤材としたものであるが，これは生木であり建築廃材の利用ではない（例えば，特許文献１参照。）。
【０００６】
野菜や果実栽培用ではないが，植物用として檜やひば等の木材を，直径３ｍｍの球形粒状にして苗床容器用としたものがあるが，これは蘭の根を包む高価な水蘚の節約のためと，安価な発泡樹脂製のものではその表面に根が食込んで植え替えが面倒なことからその容易化が目的であり，上記同様にこれも建築廃材の利用ではない（例えば，特許文献２参照。）。
【０００７】
なお，水耕栽培用の培地として木材破砕粒を，接着剤を加えないで８ｍｍ以下に圧縮成形させた方形物を，一般的な培地に混在させたものがあるが，建築廃材の活用化には全く触れていない（例えば，特許文献３参照。）。
【０００８】
【特許文献１】
特開２００２−１５３１２４号公報（
【０００４】の項）
【特許文献２】
特開２０００−１１６２３２号公報（
【０００３】〜
【０００６】）
【特許文献３】
特開平０９−０９８６８１号公報（
【０００６】〜
【０００８】）
【０００９】
このように，一般的に言っても建築廃材を始め産業廃棄物を利用した商品の開発は未だに少なく見聞しない。まして，培地そのものに代わるものとして開発されたものは全く見当たらない。
【００１０】
ここにおいて，建築廃材とは，木造住宅の使用後の柱・床・壁等に用いられている少なくとも建設後１０年以上経過して十分に乾燥した建築物であって，このような家屋等を破壊して得た廃木材を指しているのである。
【００１１】
現在での廃木材の主なる利用法としては，リサイクル用として粉砕してチップ化し，それを段ボールメーカーが回収した古段ボール紙と共に原料と混ぜて再活用しているものが知られている。
他にも例えば短かな角材状に，適当な大きさに裁断したものを密着して並べて歩道用に利用している等があるようだが定かでない。
【００１２】
別の用途としては，木材の堆肥化が考えられている。一般にＣ（炭素）の多いものはＮ（窒素）が少なく分解し難い。
そこで，家畜糞尿を加えて分解を促進しているし，バーク（樹皮）も同様で，鶏糞などＮの多いものを加えて堆肥化しているのである。
【００１３】
また，木質チップ・おが屑や籾殻を，副資材（水分調整材・通気性改良材）として堆肥化している。これらの有機物はＣ／Ｎ比が低く，蛋白質が高いので比較的分解しやすいのである。
【００１４】
なお，野菜等の栽培中において，土壌の温度が６０〜７０℃にも上昇すると，その熱で野菜が育たなくなることが知られている。
すなわち，あまり堆肥化を急ぐと温度が急上昇するから注意を要する。よく栽培中に堆肥化を急ぐ農家がいるが間違いである。それ故に，発熱が済んでから使用に供する堆肥を完熟堆肥と称するのである。
【００１５】
【発明が解決しようとする課題】
この発明は，多量に発生する古い家屋等の建築廃木材を，農園芸用の「培地」として有効に利用することができないものかと考えて成されたものである。
特にこれを，野菜や果実栽培用として最近急速に発展して来た水耕栽培についてみると，その培地用として普通培土に代りロックウールが多用されている。
【００１６】
ところが，ロックウールは前述したように危険なものである上に割高なものなので，ロックウールの使用を止め，更にロックウールよりも大幅にコストダウンを図るものとしたい。
それに，ロックウールは長期使用により圧縮しやすいので，度々の掘り起こし作業が必要となるが，できるだけ長期にわたって培地中の空気層の変化を少なくして，栽培物のために培地中の酸素含有量を保持させたいものである。
【００１７】
ところで，前述した廃木材でなく木片チップを利用した先行技術の各例において，木のチップをその侭で用いて野菜などを植え付けると，やがて枯死するか葉が黄変してしまう大きな心配があるのが実状である。
これは，木片チップの酸性度が高く，木片チップを水に浸けてｐＨを調べてみると，ｐＨ３〜４を示す場合が多くありそのためだと考えられている。
一般に植物の生育にはｐＨ５〜７程度がよいと言われているのである。
なお，生木だと茸が生えるとか雑菌の繁殖や悪臭が発生しやすい欠点もある。
【００１８】
また，化学肥料の多用は，人体に対しても悪影響があると懸念されているし，その窒素や燐等が河川や湖沼まで流出して環境上の問題にもなっている。
他方，最近の微生物を利用した研究では，微生物が栽培物の根から出入りしたり，栽培物と共生して窒素やカリ類を作っていることが分ってきた。
これらのことから，できる限り化学肥料の使用を押さえて栽培したい。
【００１９】
多用されているロックウールは無機質だから肥料には変化しないし，使用後は産業廃棄物として処分するしかない。
木片チップなら堆肥化・肥料化をも可能とするし，不要時には畑に入れて土壌改良材として使用してリサイクル農業・循環式農業が出来るようになる。
【００２０】
さりとて，前述した如く間伐材では，生であるために堆肥化の時に発熱して栽培物に悪影響を与えるが，建築廃木材ならＣ／Ｎ比が低いので，発熱も少なく栽培中での堆肥化に格好な素材である筈だと考えられるのである。
【００２１】
だが，十分に乾燥した廃木材でも，その侭で用いて野菜などを植え付けると，やがて枯死するか葉が黄変してしまう大きな欠点があるのが実状である。
それは，天井等に溜まっていた埃等が，廃材に多量に付着しているため，その埃等が病害の原因になるからである。
【００２２】
【課題を解決するための手段】
そこで発明者は，十分乾燥している廃木材を原材とした廃木材チップ片の集合体を用いた。ここで廃木材チップ片とは，原材から正確な寸法にこだわりなくせん断されたものであり，集合体とは個々の廃木材チップ片の単なる集まりであって，例えば圧力を加えて或る大きさの圧縮固形物となったものではない。
【００２３】
それを，先ず付着している塵埃等を水洗して除去し，続いて適当な方法で雑菌等の消毒をした後，アルカリ性液に浸してｐＨ５〜７に中和化してから乾燥させて「廃木材チップ培地」とした。
【００２４】
なお，上記にて中和化工程のみを省略した廃木材チップ培地としてもよいが，この廃木材チップ培地を採用した場合には，野菜・果実等の栽培中に中和化させるため常時アルカリ性の水溶液を供給する必要がある。
【００２５】
なお又，上記において廃木材チップ片の大きさを，長さを１０〜３０ｍｍ程度，太さを１〜１０ｍｍ程度としたものとし，その集合体を採用した方が水耕栽培用としては数々の利便性を有していてより好ましい。
とは言っても，長さや太さもこの数値に正確でなければならぬと言うのではないことは十分想像できよう。
【００２６】
また，この発明の廃木材チップ培地は，水耕栽培用又は養液栽培用に限定する必要は全くなく，一般的な土耕栽培用として用い得ることは言うまでもない。
更に，多量の廃木材チップ培地を敷詰めた下層に，木炭層や籾殻等の発酵菌醸成材層を配設したり，それらを廃木材チップ培地に混在させて，それらの持つ諸効果を得るものとするもよい。
【００２７】
なお，製造方法としては，十分乾燥している廃木材を原材とした廃木材チップ片の集合体を，前記のように先ず水洗し，続いて雑菌消毒をした後に，アルカリ性液に浸してｐＨ５〜７に中和化してから乾燥させて得ることを特徴とした「廃木材チップ培地の製造方法」を基本とした。
【００２８】
なお，この場合でも，上記において廃木材チップ片の大きさを，長さを１０〜３０ｍｍ程度，太さを１〜１０ｍｍ程度としたものとし，その集合体を採用した方が水耕栽培用の製造方法としてはより好ましいものと言える。
更に，中和化工程のみを省略した廃木材チップ培地の製造方法もある。
【００２９】
【発明の実施の形態】
この発明に用いる廃木材は，建築後十数年を経過した木造家屋を始め，木製の製品なら何でもよく，建築廃木材として完全に乾燥したものならよいのである。
ただし，生木や半乾きのものは，茸の発生や栽培する野菜等に害を与えやすいので注意を要することは前述した。
【００３０】
発明者は，過去３年間に亘って，この発明に基づいて主として水耕栽培において色々と試験栽培を行った結果，木材の種類も杉・檜を始め総ての種類の木々で使用可能であることが確認できた。しかも，例えば防腐剤や塗装された廃材であっても支障を生ずることはなかったのである。
何故なら，防腐剤や塗装部分は，表面積比で１００分の１以下と僅かである上，１０年以上の経過にて防腐剤等そのものがかなり分解しているからである。
【００３１】
試験栽培において分かったことは，一般培土に代る培地となり得るものは，保水性と共に適度な排水性を有し，培地中に長期に亘って空気層を保持し得ることが大切であるということであって，このことが改めて認識させられた。
そのためには，集合体を形成する廃木材チップ片は，個々に十分繊維化が進んでいて固く，しかも腰がありやや弾力性のあるものがよいと言える。
【００３２】
すなわち，廃木材チップ片は前出のように，太さが１〜１０ｍｍ程度で長さが１０〜３０ｍｍ以内のフレーク状のものとする。これらが集合体となってお互いに重なり絡み合って多くの空間すなわち空気層を有した培地となるのである。
一般に，空気層を多く有した培地では，栽培物の毛細根の発達に良い環境を作ることになり好ましい培地となると言われている。
【００３３】
ところが，その空気層の大きさによっては障害ともなるから注意をしたい。空気層が小さ過ぎると窒素過多に陥りやすいし，大き過ぎると根張りが安定しなくなるからである。
これらのことは，試験栽培の結果，栽培する野菜の種類によって相応しい環境があるので，廃木材チップ片の大きさは栽培対象によってより選択区分化して用いる方がより好ましい成果を挙げ得ることになるのである。
【００３４】
なお，一般的に野菜や植物等の栽培土壌には，腐葉土を加えたり堆肥等を与えて栽培物に栄養を供給するし，また土壌の消毒も行われている。
しかしながら，腐葉土とは，堆積して５０℃〜７０℃位に醗酵分解を繰り返しで初めて腐葉土と言えるのであって，単に腐植した落葉では例えば鉢用土とはなり得ないのである。
また，こうした生物阻害物質を用いて下葉の黄変や生理障害を病気と信じて農薬を多用するのは問題であると言えようし土壌消毒もあまりすべきではない。
【００３５】
すなわち，微生物相において放射菌や諸々の細菌中には，それぞれの役割分担があり，それらのバランスが保たれている以上，根からの病害抑制効果も充分に期待できるのである。
これを農薬で滅菌すれば，より繁殖力の強い病原菌が優占してしまうことはよく知られていることである。
【００３６】
その点，この発明の廃木材チップ培地は，有機物であるからそれ自体が徐々にではあるが堆肥化する。そしてその堆肥化のスピードは空気層の存在によってコントロールすることにもなることが分かって来た。
このように２〜３ヶ月経過すれば肥効性を生ずるから，別に与える肥料の量は半分程で済むようになる。
しかも，前出のように徐々の堆肥化は，急激な発熱を伴なわないから栽培中の野菜や果物に熱障害を与える心配もない。
【００３７】
また，廃木材チップ培地の下層に，破砕した木炭層や発酵菌醸成材である籾殻又は裁断した藁等の層を配設したり混在させれば，木炭から発生する遠赤外線にて野菜が腐らなくなると言うマイナスイオン水を生ずるし，籾殻や裁断した藁等の存在は，発酵菌である納豆菌等の繁殖によって腐敗菌を消滅させ，廃木材チップ培地が一層優れたよい菌類の棲家となるから，有酸素運動で毛細根の量を倍化させて樹勢が促進させられる効用を生じ更に逞しく成長するようになる。
【００３８】
【実施例】
実施例１，建築後２５年を経過した木造住宅を解体し，粉砕して１０×１ｍｍ大程度にしたチップ片の集合体を用い，温室，通称ハウス内の苺の一般的な水耕栽培用として水洗もせずにその侭の状態で，苺の根の大きさからみて１０〜１２ｃｍの深さとした培地として用いた結果，植え付け後１〜２ヶ月で枯死するか葉が黄変してしまった。失敗例である。
【００３９】
実施例２，実施例１と同じチップ片の集合体を用い，同じく苺の水耕栽培用として，今度は散水装置にて住宅使用のために付着していた埃等を十分に除去水洗してから培地として用いた結果，植え付け後１〜２ヶ月での葉の黄変は大分改善されたが，十分とまでは言えなかった。
なお，水耕栽培自体は，毎日が水洗いをしているということになる。
【００４０】
実施例３，実施例１及び実施例２と同じチップ片の集合体を用いて，同じく苺の水耕栽培用として，水洗後，更に１０００倍に薄めた木酢液をチップ片の集合体上に散水消毒してから培地として用いたところ，その結果は苺の病気の発生が１０分の１に減じた。
【００４１】
実施例４，更に中和化すべく藁の灰を加えたｐＨ８位のアルカリ性のプール内に，４〜５時間浸漬してｐＨ５〜７に中和化してから温風にて乾燥させて廃木材チップ培地としたものを用いた結果，苺の根周りは通常の２倍と大きく成長し，従来の一般的な水耕栽培物とは比較にならない程の優れた苺株に成長した。
なお，中和化工程を省略したものは，使用中常時ｐＨ７〜８のアルカリ性水を供給することによっても同様な結果を得ることができた。
【００４２】
実施例５，水耕栽培において，１０〜２０ｍｍ大に砕かれた消炭９％量を最下層として敷き詰め，その上に籾殻を９％量を敷き重ね，そしてその上に実施例４の廃木材チップ培地を８２％量として敷き詰めたものにて栽培床とした。
結果は，普通２０〜３０ｍｍであるクラウンと称する胴径が，４０〜６０ｍｍと他のものに比べて更に逞しく成長するようになった。
【００４３】
これは木炭が，よい菌類の住家となるからである。
なお，木炭と籾殻や裁断した藁等の付加手段として，廃木材チップ培地に攪拌混在させてもよいが，木炭が上層や表面にも存在することになるから，作業する際に手が黒く汚れたり，栽培物までが汚れてしまう弱点がある。
【００４４】
上述した各例において，原材である建築廃材の材木の種類や，特にその廃材表面の塗装状態については影響があろうかと心配し，敢えて防腐剤のあるものやペンキ塗装の厚かったものを多めに選んでチップ化した集合ものを使用したが，水洗を始め消毒・中和工程を経て乾燥されたものを用いれば全く心配なく，これらの廃木材チップ培地から何の問題や欠点をも見出せなかった。
【００４５】
したがって，上記の最終工程である乾燥工程を終了したら，直ちに袋詰めしておけば，長期保管にも耐えるし，需要先にて開袋して例えば水耕栽培装置のケース内へ移すことにより当日から植付けが可能となる。
なお，前記においては比較しやすい苺栽培のみについて詳述してきたけれど，記載を省略したが各種花卉や球根，クレソン・チンゲンサイ・ほうれん草等の野菜類も実験済みであり夫々が何ら問題なく栽培に成功したことを述べておく。
また，説明を省略したが一般土壌栽培にても同様の効果を得られた。
【００４６】
【発明の効果】
この発明の廃木材チップ培地は，多量に発生する古い家屋等の建築廃木材を，単に焼却処分をして空中に二酸化炭素を放出させることなく有効活用し，しかも使用後は畑に入れて土壌改良材としても使用できるなど，農園芸用として最後まで有効に利用することができるからリサイクル農業ができるようになる。
【００４７】
また，従来の水耕栽培に多用されてきたロックウールは，色々障害があるのに対して，この廃木材チップ培地は，空気保持性に優れ安価で長期間の使用に耐えるし，しかも肥効をも生ずるから水耕栽培用として好適な培地となった。
また，廃木材チップ培地の堆肥化は，急激な発熱を伴なわずに緩やかに進むから栽培物に良い効果をあたえるようになる。
【００４８】
更に，粉砕木炭や籾殻等を下層に配したり混在させたものは，納豆菌等のよい菌類の繁殖によって腐敗菌を消滅させ，廃木材チップ培地が優れたよい菌類の棲家ともなるから，有酸素運動で毛細根の量を倍化させて樹勢が促進させられる効用を生じ更に逞しく成長するようになる。
その上，水耕栽培でのハウス内では，木炭が温室内の塵や臭い等を吸収するから使用したハウス内空気が，あたかも森林浴を受けるように良好な環境となり，作業者に心地よい感じを与えられるようにもなる。
【００４９】
更にまた，製造コストも廃材，言わば産業廃棄物を活用するのであるから，同一容積でロックウールと比較すると約３分の１と安い費用となる。
しかも，ロックウール使用は掘り起こし作業が必要だが，廃木材チップ培地はその必要もないし，連作障害がなく安価ゆえ必要ないことだが新しいものと入れ替えようと思えば毎年変えることも容易である。
【００５０】
以上詳記のように，この発明の農園芸業での活用は，やがては廃木材という産業廃棄物をなくし得て，しかもハウス栽培によって年間を通じての野菜作りの工場化を遂げる上に必要便利な培地を安価に提供できる画期的な発明である。